(57)【要約】【課題】  シートの幅寸法の大小にとらわれることなく、積層されたシートに対する押揃え整合性を良好に保つ。【解決手段】  シート積載機構130 により停止し積層状態にあるシートの束の後端辺部分を押し揃えるための後端辺押揃え機構140 を搬送路110 の搬送中心線上部に配設されて常時搬送路面上から突出する後端辺中央押揃え部材141 と、その両サイドに配設されてばねにより搬送路面上から突出するように付勢された後端辺サイド押揃え部材142 とを備えた構造とする。シートの幅寸法が小さく調整されるときに、後端辺サイド押揃え部材142 を搬送路面下側部位に退避させてその退避部位を保持するサイド押揃え部材退避機構150 を設ける。【選択図】        図３
2005089120.tif 000002
【特許請求の範囲】
【請求項１】
搬送路で搬送されるシートを、その搬送方向と直交する幅方向の対向辺部分でガイドし、その前端辺部分を当接、停止させて積層し、この停止し積層されているシートの束をその後端辺部分で押し揃えて整合させるシート束整合装置であって、次の各構成を有することを特徴とするシート束整合装置。
（イ）前記搬送路の両サイドに配設されてその間隔が前記シートの幅寸法に応じて調整され、搬送されるシートの幅対向辺部分をガイドし位置決めする１対の幅対向辺ガイド位置決め部材を備えたシート幅対向辺ガイド位置決め機構
（ロ）前記搬送路で搬送されて来たシートの前端辺部分を当接、停止させて位置決めする前端辺位置決めストッパと、この前端辺位置決めストッパで停止しているシートの上に前記搬送路で搬送されて来たシートを積み重ねることが可能なシート積重ね部と、を備えたシート積層機構
（ハ）前記搬送路の幅方向中央部位に配設されて常時搬送路面上から突出する後端辺中央押揃え部材と、この後端辺中央押揃え部材に対し、搬送方向と直交する方向のサイド部位に配設されて弾性部材により前記搬送路面上から突出するように付勢された後端辺サイド押揃え部材と、を備え、前記シート積層機構により停止し積層状態にあるシートの束の後端辺部分を、前記１対の幅対向辺ガイド位置決め部材の調整間隔に応じて１箇所または複数箇所で押し揃え整合させる後端辺押揃え機構
（ニ）前記シート幅対向辺ガイド位置決め機構の１対の幅対向辺ガイド位置決め部材の間隔が狭く調整されてこれらが前記後端辺押揃え機構の後端辺サイド押揃え部材に当接するような範囲では、この後端辺サイド押揃え部材を前記搬送路面下側部位に退避させてこの退避状態を保持するサイド押揃え部材退避機構
【請求項２】
前記後端辺押揃え機構が、その後端辺サイド押揃え部材を、前記搬送路面から突出する部位と前記搬送路面下側に退避する部位との間で１つの支点のまわりに回動可能なように保持する押揃え部材保持部を備えて成り、前記サイド押揃え部材退避機構が、前記１対の幅対向辺ガイド位置決め部材の間隔が狭くなってこれらに前記後端辺サイド押揃え部材が当接するような範囲になると前記後端辺押揃え機構を前記搬送路のシート搬入口側に移動させる押揃え機構移動手段と、前記後端辺サイド押揃え部材内の、搬送路面下側となる部位に配設された回動用部材と、前記搬送路のシート搬入口側でかつ搬送路面下側となる部位に配設されて前記後端辺押揃え機構がシート搬入口側に移動したときに前記回動用部材が当接しこの当接により前記後端辺サイド押揃え部材を前記搬送路面下側の部位に回動、退避させる当接回動退避部材と、前記搬送路面下側部位に退避している後端辺サイド押揃え部材をこの退避部位に保持するサイド押揃え部材路面下保持手段と、
を備えて成る請求項１記載のシート束整合装置。
【請求項３】
前記サイド押揃え部材退避機構のサイド押揃え部材路面下保持手段が、前記シート幅対向辺ガイド位置決め機構の幅対向辺ガイド位置決め部材を前記後端辺押揃え機構の後端辺サイド押揃え部材の上部部位に移動させるガイド位置決め部材移動操作部を含んで成り、この移動した幅対向辺ガイド位置決め部材により前記後端辺サイド押揃え部材を前記搬送路面下側部位に保持する構造である、
請求項２記載のシート束整合装置。
【請求項４】
前記後端辺押揃え機構が、その後端辺中央押揃え部材の両サイドに、その後端辺サイド押揃え部材を備えた構造である、
請求項１乃至請求項３のいずれか１項に記載のシート束整合装置。
【請求項５】
前記シート積層機構のシート積重ね部が、前記後端辺押揃え機構のシート搬送上流側となる前記搬送路面から、この後端辺押揃え機構の後端辺中央押揃え部材の両脇でかつこの後端辺中央押揃え部材の頂点と対応する部位に向って徐々に上昇するシート積重ね用ベルトを備えて成り、このシート積重ね用ベルトにより、前記搬送路で搬送されるシートを、前記後端辺押揃え機構を乗り越え搬送し積層する構造である、
請求項１乃至請求項４のいずれか１項に記載のシート束整合装置。
【発明の詳細な説明】
【技術分野】
【０００１】
本発明は、搬送路で搬送されるシートを、その搬送方向と直交する幅対向辺部分でガイドし、その前端辺部分を当接、停止させて順次積層し、この停止し積層状態にあるシートの束をその後端辺部分で押し揃えて整合させるシート束整合装置に属する。
【背景技術】
【０００２】
搬送路で搬送されて来て積層状態にあるシートの束を綴じ処理して冊子状とする製本機などでは、綴じ処理する前に、この積層状態にあるシートの束を、その搬送方向と直交する方向のシート幅対向辺部分と、その搬送方向の前後端辺部分とで整合させ綴じ位置に対し位置決めする必要がある。
このような、製本機などに組み込まれるシート束整合装置の従来例について、図１２及び図１３を参照して説明する。
このシート束整合装置が組み込まれた製本機１００ｘについて説明すると、まず、印刷機や複写機などのシート供給装置２００ｘから供給されたシートは、搬送ベルト１１１ｘを備えた搬送路１１０ｘで搬送され、この搬送路１１０ｘとシート送り込みローラ１３７とにより、その先端辺が綴じ形態に応じて、中綴じストッパ１３５または平綴じストッパ１３６に当接するまで搬送されてこの当接位置で位置決めされ停止し、順次積層される。中綴じストッパ１３５、平綴じストッパ１３６及びシート送り込みローラ１３７によりシート積層機構１３０ｘを形成する。
【０００３】
次に、停止し積層状態にあるシートの束は、その後端辺部分が、後端辺押揃え機構１４０ｘにより押し揃えられ整合されて、綴じ部１６０ｘで綴じ処理され冊子状となる。この綴じ処理が中綴じの場合、折り部１７０ｘに搬送されてこの折り部１７０ｘにより、綴じ位置で中折りされて、その小口部分を断裁するため、折り冊子排出部１８２を介して断裁機３００ｘへと引き渡される。
【０００４】
また、折り処理が不要な冊子は、折無し冊子容器１８１に収容されて、この容器から製本機１００ｘ外へと取り出される。折無し冊子容器１８１及び折り冊子排出部１８２により冊子排出部１８０ｘを形成する。
【０００５】
次に、この製本機１００ｘに組み込まれているシート束整合装置の部分について更に詳しく説明する。なお、この製本機１００ｘに組み込まれているシート束整合装置の主要構成は、上記説明における搬送路１１０ｘ、シート積層機構１３０ｘ、及び後端辺押揃え機構１４０ｘであり、シートの幅対向辺をガイド、位置決めする機構はこの例では省略されている。
【０００６】
このシート束整合装置における後端辺押揃え機構１４０ｘは、搬送路１１０ｘによるシートの搬送路面上から常時突出して積層状態にあるシートの束の後端辺部分に当接し、このシートの束の後端辺部分を押し揃える押揃えガイド板１４６と、この押揃えガイド板１４６を、モータＭ１駆動によりシートの束の後端辺部分に移動させるガイド板移動機構部１４７と、モータＭ２駆動により押揃えガイド板１４６を揺動させるガイド板揺動部１４８と、を備えた構成、構造となっている。
【０００７】
また、シート積層機構１３０ｘは、搬送路１１０ｘで搬送されて来たシートを、搬送路面上に突出する押揃えガイド板１４６を乗り越えてその前端辺部分が中綴じストッパ１３５又は平綴じストッパ１３６へと搬送されるようにそのシート送り込みローラ１３７が、その頂点部分が押揃えガイド板１４６の頂点近傍となるように配置された下ローラ１３８と、この下ローラ１３８の頂点部分で互いに接触回転する上ローラ１３９と、を含んで構成されている。そして、搬送路１１０ｘで搬送されて来たシートは、搬送路１１０ｘによる搬送力と、下ローラ１３８の回転により、その先端辺部分が下ローラ１３８・上ローラ１３９の接触回転部分へと導かれ、押揃えガイド板１４６の前方へと搬送される（例えば、特許文献１参照）。
【特許文献１】特開平１０−２１２０６６号公報（図１，図２）
【発明の開示】
【発明が解決しようとする課題】
【０００８】
上述した背景技術におけるシート束整合装置は、搬送路１１０ｘで搬送されて来たシートを、その前端辺部分で当接、停止させて位置決めする中綴じストッパ１３５または平綴じストッパ１３６と、これらストッパ（１３５，１３６）に対しシートを送り込んでシートを順次積層するシート送り込みローラ１３７と、を備えたシート積層機構１３０ｘを有し、このシート積層機構１３０ｘにより積層されたシートの束をその後端辺部分で押し揃えて整合させる後端辺押揃え機構１４０ｘが、搬送路面上から常時突出して積層状態にあるシートの束の後端辺部分に当接してこの部分を押し揃える押揃えガイド板１４６と、この押揃えガイド板１４６をシート束の後端辺部分に移動させるガイド板移動機構部１４７と、押揃えガイド板１４６を揺動させるガイド板揺動部１４８と、を備えた構成、構造となっているので、積層状態にあるシートの束の後端辺部分に当接してこれを押し揃える押揃えガイド板１４６は、その当接する幅寸法が広ければ広い程シート束の整合性を高めることができるが、幅寸法を広くすると、この押揃えガイド板１４６は搬送路面上に常時突出しているため、シートの幅寸法が狭くなってシートの幅対向辺をガイド、位置決めする幅対向辺ガイド位置決め部材（背景技術の従来例では省略）の間隔を狭くしようとすると押揃えガイド板１４６に当接してしまい、シートの幅対向辺のガイド、位置決めができなくなり、一方、押揃えガイド板１４６の幅寸法を狭くすると、幅寸法の狭いシートに対応できるものの、シート幅に対する押揃えガイド板１４６の当接する割合が小さくなって、シートの整合性が低下する、という問題点がある。
【０００９】
また、搬送されて来たシートを積層する際に、その先端辺部分をシート送り込みローラ１３７の下ローラ１３８により、搬送路面上から、この搬送路面上に突出する押揃えガイド板１４６の頂点部分まで引き上げて、下ローラ１３８・上ローラ１３９間にくい込ませる構造となっており、その搬送路面に対する下ローラ１３８のシート先端辺引上げ面が急激に変化するために、シートの先端辺部分がこの下ローラ１３８のシート先端辺引上げ面に当接してシートの搬送状態が乱れ、シートの積層動作、積層状態を良好に保つことができなくなる、という問題点がある。
【００１０】
本発明の目的は、上記背景技術の問題点に鑑みて、第１に、シートの幅寸法の大小にとらわれることなく、シートの幅対向辺をガイド、位置決めし、かつ前後辺部分の押揃え整合性を良好に保持することができるシート束整合装置を提供することにあり、第２に、シート積層の際にシートの搬送状態が乱れることなく、積層動作、積層状態を良好に保持することができるシート束整合装置を提供することにある。
【課題を解決するための手段】
【００１１】
本発明のシート束整合装置は、搬送路で搬送されるシートを、その搬送方向と直交する幅方向の対向辺部分でガイドし、その前端辺部分を当接、停止させて積層し、この停止し積層されているシートの束をその後端辺部分で押し揃えて整合させるシート束整合装置であって、次の各構成を有することを特徴とする。
（イ）前記搬送路の両サイドに配設されてその間隔が前記シートの幅寸法に応じて調整され、搬送されるシートの幅対向辺部分をガイドし位置決めする１対の幅対向辺ガイド位置決め部材を備えたシート幅対向辺ガイド位置決め機構
（ロ）前記搬送路で搬送されて来たシートの前端辺部分を当接、停止させて位置決めする前端辺位置決めストッパと、この前端辺位置決めストッパで停止しているシートの上に前記搬送路で搬送されて来たシートを積み重ねることが可能なシート積重ね部と、を備えたシート積層機構
（ハ）前記搬送路の幅方向中央部位に配設されて常時搬送路面上から突出する後端辺中央押揃え部材と、この後端辺中央押揃え部材に対し、搬送方向と直交する方向のサイド部位に配設されて弾性部材により前記搬送路面上から突出するように付勢された後端辺サイド押揃え部材と、を備え、前記シート積層機構により停止し積層状態にあるシートの束の後端辺部分を、前記１対の幅対向辺ガイド位置決め部材の調整間隔に応じて１箇所または複数箇所で押し揃え整合させる後端辺押揃え機構
（ニ）前記シート幅対向辺ガイド位置決め機構の１対の幅対向辺ガイド位置決め部材の間隔が狭く調整されてこれらが前記後端辺押揃え機構の後端辺サイド押揃え部材に当接するような範囲では、この後端辺サイド押揃え部材を前記搬送路面下側部位に退避させてこの退避状態を保持するサイド押揃え部材退避機構
【００１２】
また、前記後端辺押揃え機構が、その後端辺サイド押揃え部材を、前記搬送路面から突出する部位と前記搬送路面下側に退避する部位との間で１つの支点のまわりに回動可能なように保持する押揃え部材保持部を備えて成り、前記サイド押揃え部材退避機構が、前記１対の幅対向辺ガイド位置決め部材の間隔が狭くなってこれらに前記後端辺サイド押揃え部材が当接するような範囲になると前記後端辺押揃え機構を前記搬送路のシート搬入口側に移動させる押揃え機構移動手段と、前記後端辺サイド押揃え部材内の、搬送路面下側となる部位に配設された回動用部材と、前記搬送路のシート搬入口側でかつ搬送路面下側となる部位に配設されて前記後端辺押揃え機構がシート搬入口側に移動したときに前記回動用部材が当接しこの当接により前記後端辺サイド押揃え部材を前記搬送路面下側の部位に回動、退避させる当接回動退避部材と、前記搬送路面下側部位に退避している後端辺サイド押揃え部材をこの退避部位に保持するサイド押揃え部材路面下保持手段と、
を備えて構成され、
前記サイド押揃え部材退避機構のサイド押揃え部材路面下保持手段が、前記シート幅対向辺ガイド位置決め機構の幅対向辺ガイド位置決め部材を前記後端辺押揃え機構の後端辺サイド押揃え部材の上部部位に移動させるガイド位置決め部材移動操作部を含んで成り、この移動した幅対向辺ガイド位置決め部材により前記後端辺サイド押揃え部材を前記搬送路面下側部位に保持する構造である、構成を有している。
【００１３】
また、前記後端辺押揃え機構が、その後端辺中央押揃え部材の両サイドに、その後端辺サイド押揃え部材を備えた構造である、構成を有してる。
【００１４】
更にまた、前記シート積層機構のシート積重ね部が、前記後端辺押揃え機構のシート搬送上流側となる前記搬送路面から、この後端辺押揃え機構の後端辺中央押揃え部材の両脇でかつこの後端辺中央押揃え部材の頂点と対応する部位に向って徐々に上昇するシート積重ね用ベルトを備えて成り、このシート積重ね用ベルトにより、前記搬送路で搬送されるシートを、前記後端辺押揃え機構を乗り越え搬送し積層する構造である、構成を有している。
【発明の効果】
【００１５】
本発明のシート束整合装置は、後端辺押揃え機構が、搬送路の幅方向中央部位に配設された後端辺中央押揃え部材と、この後端辺中央押揃え部材に対し、シート搬送方向と直交する方向のサイド部位に配設された後端辺サイド押揃え部材と、によりシートの後端辺を複数箇所で押し揃える構造となっており、しかも後端辺サイド押揃え部材は、シートの幅寸法が小さく、シート幅対向辺ガイド位置決め機構の１対の幅対向辺ガイド位置決め部材の間隔が狭くなると、後端辺サイド押揃え部材を搬送路面下側に退避させてこの退避状態を保持する構造となっている。
【００１６】
従って、幅の狭いシートに対しては、後端辺中央押揃え部材のみによりその後端辺部分を押し揃える一方、１対の幅対向辺ガイド位置決め部材を、後端辺中央押揃え部材の両側面近くまで接近、調整することができてシートの幅対向辺をガイド、位置決めすることができ、また、幅の広いシートに対しては、後端辺中央押揃え部材及び後端辺サイド押揃え部材により後端辺を押揃え、かつ１対の幅対向辺ガイド位置決め部材によりシートの幅対向辺をガイド、位置決めすることができるので、シートの幅寸法の大小にとらわれることなく、その幅方向対向辺をガイドし位置決めすることができ、かつ、その前後辺部分を、シート幅に対し広い範囲で押揃えすることができて、その押揃えによるシート束の整合性を良好に保つことができる。
【００１７】
また、シート積層機構のシート積重ね部には、搬送路面から、後端辺中央押揃え部材の両脇でかつこの後端辺中央押揃え部材の頂点と対応する部位に向って徐々に上昇するシート積重ね用ベルトが設けられているので、搬送されて来たシートの積層の際に、シートの搬送状態が乱れることなく整然と搬送されて後端辺押揃え機構を乗り越え、積層することができ、積層動作、積層状態を良好に保持することができる。
【発明を実施するための最良の形態】
【００１８】
本発明を実施するための最良の形態は、搬送路で搬送されるシートを、その搬送方向と直交する幅方向の対向辺部分でガイドし、その前端辺部分を当接、停止させて積層し、この停止し積層されているシートの束をその後端辺部分で押し揃えて整合させるシート束整合装置であって、上記搬送路の両サイドに配設されてその間隔が前記シートの幅寸法に応じて調整され、搬送されるシートの幅対向辺部分をガイドし位置決めする１対の幅対向辺ガイド位置決め部材を備えたシート幅対向辺ガイド位置決め機構と、
上記搬送路で搬送されて来たシートの前端辺部分を当接、停止させて位置決めする前端辺位置決めストッパ、及びこの前端辺位置決めストッパで停止しているシートの上に上記搬送路で搬送されて来たシートを積み重ねることが可能なシート積重ね部、を備えたシート積層機構と、
上記搬送路の幅方向中央部位に配設されて常時搬送路面上から突出する後端辺中央押揃え部材、及びこの後端辺中央押揃え部材に対し、搬送方向と直交する方向の両サイド部位に配設されて弾性部材により上記搬送路面上から突出するように付勢された１対の後端辺サイド押揃え部材、を備え、上記シート積層機構により停止し積層状態にあるシートの束の後端辺部分を、上記１対の幅対向辺ガイド位置決め部材の調整間隔に応じて１箇所または複数箇所で押し揃え整合させる後端辺押揃え機構と、
上記シート幅対向辺ガイド位置決め機構の１対の幅対向辺ガイド位置決め部材の間隔が狭く調整されてこれらが上記後端辺押揃え機構の後端辺サイド押揃え部材に当接するような範囲では、これら１対の後端辺サイド押揃え部材を上記搬送路面下側部位に退避させてこの退避状態を保持するサイド押揃え部材退避機構と、を有し
上記シート積層機構のシート積重ね部が、上記後端辺押揃え機構のシート搬送上流側となる上記搬送路面から、この後端辺押揃え機構の後端辺中央押揃え部材の両脇でかつこの後端辺中央押揃え部材の頂点と対応する部位に向って徐々に上昇するシート積重ね用ベルトを備えて成り、このシート積重ね用ベルトにより、上記搬送路で搬送されるシートを、上記後端辺押揃え機構を乗り越え搬送し積層する構造である、構成を有している。
【実施例１】
【００１９】
次に本発明の実施例について図面を参照して説明する。
図１は本発明の一実施例のシート束整合装置が組み込まれた製本機の一例を示す各部配置側面図、図２は図１に示された製本機のシート束整合装置部分を拡大表示した各部配置側面図、図３は図２に示されたシート束整合装置部分の平面図、図４はシート束整合装置における後端辺押揃え機構部分を主体とした配置側面図、図５は図４に示された後端辺押揃え機構の、後端辺サイド押揃え部材の搬送路面下への退避動作を説明するための配置側面図、図６（ａ）〜（ｃ）はシートの幅寸法が大きい場合から小さい場合へと変化したときの各部の動きを説明するためのシート搬送方向から見た側面図、図７（ａ），（ｂ）はシートの幅寸法が大きい場合の各部配置を示す平面図及び側面図、図８（ａ），（ｂ）乃至図１０（ａ），（ｂ）はシートの幅寸法が小さい場合の各部配置及び動作を説明するための平面図及び側面図、図１１（ａ），（ｂ）はシートの幅寸法が小さい場合のシート押揃え動作を説明するための側面図である。
【００２０】
この実施例におけるシート束整合装置は、搬送路１１０で搬送されるシートを、その搬送方向と直交する幅方向の対向辺部分（以下、単に幅対向辺部分という）でガイドし、その前端辺部分を当接、停止させて順次積層し、またはシートの束を一度に搬入してその前端辺部分を当接、停止させ、この停止し積層状態にあるシートの束をその後端部分で押し揃えて整合させる装置であって、
搬送路１１０の両サイドに配設されてその間隔がシートの幅寸法に応じて調整され、搬送されるシートの幅対向辺部分をガイドし位置決めする１対の幅対向辺ガイド位置決め部材１２１を備えたシート幅対向辺ガイド位置決め機構１２０と、
搬送路１１０で搬送されて来たシートの前端辺部分を当接、停止させて位置決めする前端辺位置決めストッパ１３１、及びこの前端辺位置決めストッパ１３１で停止しているシートの上に、搬送路１１０で搬送されて来たシートを順次積み重ねるシート積重ね部１３２を備えたシート積層機構１３０と、
搬送路１１０の搬送中心線上（幅方向中央）部位に配置されて常時搬送路面上から突出する後端辺中央押揃え部材１４１、及びこの後端辺中央押揃え部材１４１に対し、搬送方向と直交する両サイド部位に配設されて弾性部材のばね１４３により搬送路面上から突出するように付勢された１対の後端辺サイド押揃え部材１４２を備え、シート積層機構１３０により停止し積層状態にあるシートの束の後端辺部分を、１対の幅対向辺ガイド位置決め部材１２１の調整間隔に応じて、後端辺中央押揃え部材１４１による少なくとも１箇所、または後端辺中央押揃え部材１４１及び後端辺サイド押揃え部材１４２による複数箇所で押揃え整合させる後端辺押揃え機構１４０と、
１対の幅対向辺ガイド位置決め部材１２１の調整間隔が狭くなって、これらが後端辺サイド押揃え部材１４２に当接するような範囲では、これら後端辺サイド押揃え部材１４２を搬送路面下側部位に退避させてこの状態を保持するサイド押揃え部材退避機構１５０と、
を有する構成となっており、各部の詳細は次のとおりである。
【００２１】
後端辺押揃え機構１４０は、１対の後端辺サイド押揃え部材１４２それぞれを、搬送路面上から突出する部位と、搬送路面下側に退避する部位との間で１つの支点（回動中心軸１４５）のまわりに回動可能なように保持する押揃え部材保持部１４４を備え、ばね１４３により、後端辺サイド押揃え部材１４２が搬送路面上から突出するように付勢されている。なお、後端辺押揃え機構１４０全体は、図示省略されているモータを含む回路及び機構部により、矢印Ａの方向に移動して押揃え部位に位置決めされ、また、後端辺中央押揃え部材１４１及び後端辺サイド押揃え部材１４２は、矢印Ｂの方向に揺動して、シート束の後端辺部分を押し揃える。
【００２２】
サイド押揃え部材退避機構１５０は、１対の幅対向辺ガイド位置決め部材１２１の間隔が狭くなってこれらに後端辺サイド押揃え部材１４２が当接するような範囲に調整される場合に、後端辺押揃え機構１４０全体を搬送路１１０のシート搬入口側に移動させる押揃え機構移動手段１５１（矢印のみ図示）と、後端辺サイド押揃え部材１４２内の、搬送路面下側となる部位に配設された回動用部材１５２と、搬送路１１０のシート搬入口側でかつ搬送路面下側となる部位に配設されて、後端辺押揃え機構１４０がシート搬入口側に移動したとき回動用部材１５２が当接し、この当接により、後端辺サイド押揃え部材１４２を搬送路面下側部位に回動、退避させる当接回動退避部材１５３と、搬送路面下側部位に退避している後端辺サイド押揃え部材１４２をこの退避部位に保持する部材であり、幅対向辺ガイド位置決め部材１２１と共用のサイド押揃え部材路面下保持手段１５４と、を備えている。
【００２３】
このサイド押揃え部材退避機構１５０について、更にその動作を含めて詳細に説明すると、まず、図３，図４，図６（ａ）及び図７（ａ），（ｂ）に示されている状態が後端辺押揃え機構１４０を搬送路１１０のシート搬入口側に移動させる前、またはシートの幅寸法が大きい場合の状態であり、この状態から、押揃え機構移動手段１５１により、後端辺押揃え機構１４０を搬送路１１０のシート搬入口側へと移動させる。
【００２４】
すると、図５及び図８（ａ），（ｂ）に示すように、後端辺サイド押揃え部材１４２内に配設されていた回動用部材１５２が当接回動退避部材１５３に当接して、この当接により、後端辺サイド押揃え部材１４２が回動中心軸１４５のまわりに回動し、その搬送路面上から突出していた部分は、搬送路面の下側の部位へと引っ込んで退避状態となる。この状態で、図６（ｂ）及び図９（ａ），（ｂ）に示すように、サイド押揃え部材路面下保持手段１５４である幅対向辺ガイド位置決め部材１２１を後端辺サイド押揃え部材１４２の上部に移動させ、この後端辺サイド押揃え部材１４２が搬送路面から突出しないようにする。なお、このとき、後端辺サイド押揃え部材１４２はシートの幅寸法に応じてその間隔が制御される。
【００２５】
続いて、後端辺押揃え機構１４０全体が、積層状態にあるシートの束の後端辺部位に位置決めされ（図６（ｃ），図１０（ａ），（ｂ）、図１１（ａ）参照）、図１１（ｂ）に示すように、積層状態にある幅の狭いシート５００が、後端辺中央押揃え部材１４１によりその後端辺部分が押し揃えられて整合される。
なお、幅の広いシートに対しては、後端辺中央押揃え部材１４１及び後端辺サイド押揃え部材１４２により、複数箇所でその後端辺部分が押し揃えられる。
【００２６】
次に、シート積層機構１３０の詳細な構造及びその動作について説明する。
このシート積層機構１３０はその主構成が、前述したように前端辺位置決めストッパ１３１とシート積重ね部１３２とを備えて成り、搬送路１１０で搬送されて来たシートを、搬送路面上から常時突出する後端辺中央押揃え部材１４１、及びシートの幅寸法が大きい場合に搬送路面上から突出する後端辺サイド押揃え部材１４２を乗り越えてその前方に搬送し、前端辺位置決めストッパ１３１を停止させて順次積層するように、シート積重ね部１３２が、後端辺押揃え機構１４０のシート搬送上流側となる搬送路面から、後端辺中央押揃え部材１４１の両脇でかつこの後端辺中央押揃え部材の頂点と対応する部位に向って徐々に上昇するシート積重ね用ベルト１３３と、このシート積重ね用ベルト１３３を駆動するモータＭと、シート積重ね用ベルト１３３で搬送されて来たシートを挟み込んで確実に前方へと送り込むシート積重ね用ローラ１３４と、を備えた構造となっている。
【００２７】
このような構造のシート積重ね部１３２により、搬送路１１０で搬送されて来たシートは、その先端辺部分から、搬送路面上から徐々に上昇しては後端辺中央押揃え部材１４１及び後端辺サイド押揃え部材１４２を乗り越えてその前方に搬送され、整然と積層される。
【００２８】
この実施例においては、後端辺中央押揃え部材１４１の両サイドに、１対の後端辺サイド押揃え部材１４２を配設する場合について説明したが、後端辺サイド押揃え部材は、更に複数個に分割、配置されてもよいし、また、後端辺中央押揃え部材の片側のサイドに配設するようにしてもよい。要は、シートの幅寸法に応じて、その幅に対する押揃え部分の割合が極力大きくなるように構成すればよい。
【図面の簡単な説明】
【００２９】
【図１】本発明の一実施例のシート束整合装置が組み込まれた製本機及びその前後の装置を示す各部配置側面図である。
【図２】図１に示された製本機内のシート束整合装置部分を拡大表示した各部配置側面図である。
【図３】図２に示されたシート束整合装置部分の平面図である。
【図４】図２，図３に示されたシート束整合装置の主として後端辺押揃え機構部分の配置側面図である。
【図５】図４に示された後端辺押揃え機構の後端辺サイド押揃え部材の搬送路面下への退避動作を説明するための配置側面図である。
【図６】本発明の一実施例におけるシートの幅寸法が大きい場合から小さい場合へと変化したときの各部の動作を説明するためのシート搬送方向から見た側面図である。
【図７】本発明の一実施例におけるシートの幅寸法が大きい場合の各部配置を示す平面図及び側面図である。
【図８】本発明の一実施例におけるシートの幅寸法が小さくなって後端辺押揃え機構をシート搬入口側に移動させたときの平面図及び側面図である。
【図９】本発明の一実施例におけるシートの幅寸法が小さい場合に、図８に続いて幅対向辺ガイド位置決め部材の間隔を狭くしたときの平面図及び側面図である。
【図１０】本発明の一実施例におけるシートの幅寸法が小さい場合に、図９に続いて後端辺押揃え機構をシートの束の後端辺部分に位置決めしたときの平面図及び側面図である。
【図１１】本発明の一実施例における後端辺押揃え機構により積層状態のシートの束の押揃え動作を説明するための側面図である。
【図１２】背景技術におけるシート束整合装置の一例が組み込まれた製本機及びその前後の装置を示す配置側面図である。
【図１３】図１２に示されたシート束整合装置の後端辺押揃え機構部分及びシート送り込みローラ部分を主体とした配置側面図である。
【符号の説明】
【００３０】
１００，１００ｘ  製本機
１１０，１１０ｘ  搬送路
１２０  シート幅対向辺ガイド位置決め機構
１２１  幅対向辺ガイド位置決め部材
１３０，１３０ｘ  シート積層機構
１３１  前端辺位置決めストッパ
１３２  シート積重ね部
１３３  シート積重ね用ベルト
１３４  シート積重ね用ローラ
１３５  中綴じストッパ
１３６  平綴じストッパ
１３７  シート送り込みローラ
１４０，１４０ｘ  後端辺押揃え機構
１４１  後端辺中央押揃え部材
１４２  後端辺サイド押揃え部材
１４３  ばね
１４４  押揃え部材保持部
１４５  回動中心軸
１４６  押揃えガイド板
１４７  ガイド板移動機構部
１４８  ガイド板揺動部
１５０  サイド押揃え部材退避機構
１５１  押揃え機構移動手段
１５２  回動用部材
１５３  当接回動退避部材
１５４  サイド押揃え部材路面下保持手段
１６０，１６０ｘ  綴じ部
１７０，１７０ｘ  折り部
１８０，１８０ｘ  冊子排出部
２００，２００ｘ  シート供給装置
３００，３００ｘ  断裁機
【図１】
2005089120.tif 000003
【図２】
2005089120.tif 000004
【図３】
2005089120.tif 000005
【図４】
2005089120.tif 000006
【図５】
2005089120.tif 000007
【図６】
2005089120.tif 000008
【図７】
2005089120.tif 000009
【図８】
2005089120.tif 000010
【図９】
2005089120.tif 000011
【図１０】
2005089120.tif 000012
【図１１】
2005089120.tif 000013
【図１２】
2005089120.tif 000014
【図１３】
2005089120.tif 000015